(57)【要約】【課題】現在地に応じてファイルを開くことができる携帯型情報端末、ファイルアクセス方法、ファイルアクセス機能を発揮させるプログラム及び、ファイルアクセス機能を発揮させるプログラムを記録したコンピュータ読み取り可能な情報記録媒体を提供する。【解決手段】ファイルへのアクセス機能を備える携帯型情報端末１であって、現在地を測位する測位手段２１と、前記現在地に関連付けて前記ファイル２８を管理するファイル管理手段３０と、測位された現在地に関連付けられている前記ファイル２８を開いたり、開いた前記ファイル２８を前記現在地に関連付けて前記管理手段３０に管理させるファイルアクセス手段２３とを備えることを特徴とする携帯型情報端末１。【選択図】        図３
2004199156.tif 000002
【特許請求の範囲】
【請求項１】
ファイルへのアクセス機能を備える携帯型情報端末であって、
現在地を測位する測位手段と、
前記現在地に関連付けて前記ファイルを管理するファイル管理手段と、
測位された現在地に関連付けられている前記ファイルを開いたり、開いた前記ファイルを前記現在地に関連付けて前記管理手段に管理させるファイルアクセス手段と
を備えることを特徴とする携帯型情報端末。
【請求項２】
前記ファイルアクセス手段は、前記ファイル管理手段の機能を使用しつつ前記ファイルを編集するための編集ソフトウェアであり、前記編集ソフトウェアの起動時に測位された現在地に関連付けられた前記ファイルを開く構成であることを特徴とする請求項１に記載の携帯型情報端末。
【請求項３】
前記編集ソフトウェアは、測位した現在地に該当するファイルが複数ある場合には、これら複数の前記ファイル名をリスト状に一覧表示し、開くべきファイルを選択させる構成であることを特徴とする請求項２に記載の携帯型端末装置。
【請求項４】
前記リスト状に一覧表示されたファイル名は、前記ファイルを開く際に操作するメニューにて、以前開いたファイルの履歴表示として表示される構成であることを特徴とする請求項３に記載の携帯型端末装置。
【請求項５】
前記ファイルアクセス手段は、開いた前記ファイルを保存する際に測位された現在地に関連付けて、前記ファイルの配置場所を前記ファイル管理手段に登録する構成であることを特徴とする請求項１乃至請求項４のいずれかに記載の携帯型情報端末。
【請求項６】
前記ファイルアクセス手段は、操作者が特定の操作をした際に測位された現在地に関連付けて、前記ファイルの配置場所を前記ファイル管理手段に登録する構成であることを特徴とする請求項１乃至請求項４のいずれかに記載の携帯型情報端末。
【請求項７】
携帯型情報端末に内蔵するファイルへアクセスするファイルアクセス方法であって、
現在地を測位する測位ステップと、
測位された現在地に関連付けて管理されているファイルを開いたり、開いた前記ファイルを前記現在地に関連付けて管理するファイルアクセスステップと
を備えることを特徴とするファイルアクセス方法。
【請求項８】
携帯型情報端末に搭載させて動作することでファイルへのアクセス機能を発揮させるプログラムであって、
現在地を測位する測位手段と、
前記現在地に関連付けて前記ファイルを管理するファイル管理手段と、
測位された現在地に関連付けられている前記ファイルを開いたり、開いた前記ファイルを前記現在地に関連付けて前記管理手段に管理させるファイルアクセス手段と
して機能させることを特徴とする、ファイルへのアクセス機能を発揮させるプログラム。
【請求項９】
携帯型情報端末に内蔵するファイルへアクセスするファイルアクセス機能を発揮させるプログラムを記録したコンピュータ読み取り可能な情報記録媒体であって、
現在地を測位する測位手段と、
前記現在地に関連付けて前記ファイルを管理するファイル管理手段と、
測位された現在地に関連付けられている前記ファイルを開いたり、開いた前記ファイルを前記現在地に関連付けて前記管理手段に管理させるファイルアクセス手段と
して機能を発揮させるプログラムを記録したことを特徴とするコンピュータ読み取り可能な情報記録媒体。
【発明の詳細な説明】
【０００１】
【発明の属する技術分野】
本発明は、ファイルへのアクセス機能を備える携帯型情報端末、ファイルアクセス方法、ファイルアクセス機能を発揮させるプログラム及び、ファイルアクセス機能を発揮させるプログラムを記録したコンピュータ読み取り可能な情報記録媒体に関するものである。
【０００２】
【従来の技術】
近年の情報産業の発達によって、ＰＤＡ（Ｐｅｒｓｏｎａｌ  ＤｉｇｉｔａｌＡｓｓｉｓｔａｎｔ）のような携帯型の情報端末（以下「携帯型情報端末」という）が普及している。このような携帯型情報端末は、例えばメール送受信機能を有するメールソフトや簡単な文書編集を行うことができるエディタソフトを備えている。このようなメールソフトでは、送信済みのメールや受信済みのメールが例えば時間順にリスト状に表示される構成となっており、携帯型情報端末の操作者が各メールを視認しやすい構成となっている（例えば特許文献１参照。）。
【０００３】
【特許文献１】
特開２００２−２４４９８５号公報
【０００４】
【発明が解決しようとする課題】
従来の携帯型情報端末では、上述のようなメールソフトによってメールの送受信を行うのみならず、エディタソフトによって文書等を作成し、ファイルとして管理することも重要な機能の１つである。携帯型情報端末は、移動することができるため、様々な場所でファイルを開いて編集を行うことができる。例えば携帯型情報端末を仕事やプライベートで共用する場合には、それぞれ開くファイルが異なっており、使用目的、つまり移動先に応じて携帯型情報端末のハードディスク内のファイルの配置場所を突き止め、所望のファイルを開いて使用することが多い。このように移動先に応じて逐一ファイルを捜して開くことは、携帯型情報端末の操作者の操作性が悪いという問題点があった。
【０００５】
本発明の目的は、上記課題を解消して、現在地に応じてファイルを開くことができる携帯型情報端末、ファイルアクセス方法、ファイルアクセス機能を発揮させるプログラム及び、ファイルアクセス機能を発揮させるプログラムを記録したコンピュータ読み取り可能な情報記録媒体を提供することである。
【０００６】
【課題を解決するための手段】
本願発明における携帯型情報端末は、ファイルへのアクセス機能を備える携帯型情報端末であって、現在地を測位する測位手段と、前記現在地に関連付けて前記ファイルを管理するファイル管理手段と、測位された現在地に関連付けられている前記ファイルを開いたり、開いた前記ファイルを前記現在地に関連付けて前記管理手段に管理させるファイルアクセス手段とを備えることを特徴とする携帯型情報端末である。
上記構成によれば、携帯型情報端末では、測位された現在地に関連付けられたファイルを開くことができる。さらに携帯型情報端末が移動すると、携帯型情報端末は、移動先において測位された現在地に関連付けられたファイルを開くことができる。
【０００７】
上記構成において、前記ファイルアクセス手段は、前記ファイル管理手段の機能を使用しつつ前記ファイルを編集するための編集ソフトウェアであり、前記編集ソフトウェアの起動時に測位された現在地に関連付けられた前記ファイルを開く構成であるのが望ましい。
上記構成によれば、携帯型情報端末の編集ソフトウェアは、測位された現在地に関連付けられたファイルを開くことができる。さらに携帯型情報端末が移動すると、携帯型情報端末の編集ソフトウェアは、移動先において測位された現在地に関連付けられたファイルを開くことができる。
【０００８】
上記構成において、前記編集ソフトウェアは、測位した現在地に該当するファイルが複数ある場合には、これら複数の前記ファイル名をリスト状に一覧表示し、開くべきファイルを選択させる構成であるのが望ましい。
上記構成によれば、携帯型情報端末は、測位された現在地に関連付けられたファイル名をリスト状に一覧表示し、操作者が望むいずれかのファイルを開くことができる。
【０００９】
上記構成において、前記リスト状に一覧表示されたファイル名は、前記ファイルを開く際に操作するメニューにて、以前開いたファイルの履歴表示として表示される構成であるのが望ましい。
上記構成によれば、携帯型情報端末は、操作者の簡単な操作によって、ファイルの履歴表示として表示したファイル名の内から操作者が望むいずれかのファイル名に該当するファイルを開くことができる。
【００１０】
上記構成において、前記ファイルアクセス手段は、開いた前記ファイルを保存する際に測位された現在地に関連付けて、前記ファイルの配置場所を前記ファイル管理手段に登録する構成であるのが望ましい。
上記構成によれば、ファイルを前回保存した時と同じ場所に移動すると、前回保存した時と同一のファイルを開くことができる。
【００１１】
上記構成において、前記ファイルアクセス手段は、操作者が特定の操作をした際に測位された現在地に関連付けて、前記ファイルの配置場所を前記ファイル管理手段に登録する構成であるのが望ましい。
上記構成によれば、操作者が前回操作した時と同じ場所に移動すると、前回操作した時と同一のファイルを開くことができる。
【００１２】
上記構成におけるファイルアクセス方法は、携帯型情報端末に内蔵するファイルへアクセスするファイルアクセス方法であって、現在地を測位する測位ステップと、測位された現在地に関連付けて管理されているファイルを開いたり、開いた前記ファイルを前記現在地に関連付けて管理するファイルアクセスステップとを備えることを特徴とするファイルアクセス方法である。
【００１３】
本願発明におけるファイルアクセス機能を発揮させるプログラムは、携帯型情報端末に搭載させて動作することでファイルへのアクセス機能を発揮させるプログラムであって、現在地を測位する測位手段と、前記現在地に関連付けて前記ファイルを管理するファイル管理手段と、測位された現在地に関連付けられている前記ファイルを開いたり、開いた前記ファイルを前記現在地に関連付けて前記管理手段に管理させるファイルアクセス手段として機能させることを特徴とする、ファイルへのアクセス機能を発揮させるプログラムである。
【００１４】
本願発明におけるファイルアクセス機能を発揮させるプログラムを記録したことを特徴とするコンピュータ読み取り可能な情報記録媒体は、携帯型情報端末に内蔵するファイルへアクセスするファイルアクセス機能を発揮させるプログラムを記録したコンピュータ読み取り可能な情報記録媒体であって、現在地を測位する測位手段と、前記現在地に関連付けて前記ファイルを管理するファイル管理手段と、測位された現在地に関連付けられている前記ファイルを開いたり、開いた前記ファイルを前記現在地に関連付けて前記管理手段に管理させるファイルアクセス手段として機能を発揮させるプログラムを記録したことを特徴とするコンピュータ読み取り可能な情報記録媒体である。
【００１５】
【発明の実施の形態】
以下、本発明の好適な実施の形態を図面に基づいて説明する。
図１は、本発明の好ましい実施形態としての携帯型情報端末１に対して操作手段により操作する様子の一例を示す斜視図である。
携帯型情報端末１は、例えばＰＤＡ（Ｐｅｒｓｏｎａｌ  Ｄｉｇｉｔａｌ  Ａｓｓｉｓｔａｎｔ）、ＰＨＳ（Ｐｅｒｓｏｎａｌ  Ｈａｎｄｙｐｈｏｎｅ  Ｓｙｓｔｅｍ）、ノート型コンピュータ、携帯電話装置のような操作者が携帯可能な情報端末である。
【００１６】
この携帯型情報端末１は、例えば互いにツリー形式で従属するフォルダによって格納されるファイルを管理するオペレーティングシステムが動作しており、このオペレーティングシステム上では、このファイルにアクセスし、開いて編集を行うための編集ソフトウェアとしてのエディタソフトウェア（以下「エディタソフト」という）が動作している。
【００１７】
この携帯型情報端末１は、本体１ａ、本体１ａの一表面に設けられた表示部３、表示部３の表面に設けられているタッチパネル４、タッチパネル４に対して入力するためのポインティングデバイス５を備えている。尚、携帯型情報端末１は、タッチパネル４及びポインティングデバイス５の代わりに、ほぼ同様の機能を有するマウスやキーボードを備えていても良いことはいうまでもない。表示部３には、上記エディタソフトの画面としてのエディタ画面１５が表示されている。また、この携帯型情報端末１は、例えば衛星１０からのＧＰＳ信号を利用したＧＰＳ（Ｇｌｏｂａｌ  Ｐｏｓｉｔｉｏｎｉｎｇ  Ｓｙｓｔｅｍ）によって現在地を取得する機能を有する。
【００１８】
この携帯型情報端末１の外観等は以上のような構成であり、次に操作者による操作例について説明する。操作者は、ポインティングデバイス５を手ｈで握り、例えばエディタソフトによって表示部３に表示されたエディタ画面１５に対して文字等を入力することで、入力された文字等をタッチパネル４が認識することができる。つまり、操作者は、エディタソフトで開いたファイルを編集することができる。また、携帯型情報端末１は、ポインティングデバイス５によってタッチパネル４を操作することで、エディタソフトに対して命令を行うこともできる。
【００１９】
図２は、図１の携帯型情報端末１の本体１ａの電気的な内部機能を示すブロック図である。
本体１ａは、ＣＰＵ（Ｃｅｎｔｒａｌ  Ｐｒｏｃｅｓｓｉｎｇ  Ｕｎｉｔ）６、ＲＯＭ（Ｒｅａｄ  Ｏｎｌｙ  Ｍｅｍｏｒｙ）７、メモリ８、ハードディスク１１、表示部３、タッチパネル４、書き換え可能なＲＯＭ１２及びＧＰＳ信号受信部１３がバスＢＳに接続された構成となっている。
【００２０】
ＣＰＵ６は、中央演算処理部であり、本体１ａ全体を制御する。ＲＯＭ７は、ＣＰＵ６の制御による読み出し専用の不揮発性の情報記憶媒体である。メモリ８は、ＣＰＵ６の作業領域であり、書き込み読み出し可能な揮発性の情報記憶媒体である。メモリ８は、ＣＰＵ６の制御により、例えばハードディスク１１に格納されたファイルアクセス機能を発揮させるプログラムが読み込まれて、後述するファイルアクセス方法が実行される。
【００２１】
ハードディスク１１は、大容量の情報記憶媒体である。ハードディスク１１は、上記ファイルアクセス機能を発揮させるプログラム等を格納している。表示部３は、例えば液晶ディスプレイである。表示部３は、ＣＰＵ６の制御により所定の情報を表示する。表示部３の上層には、図１に示すようにタッチパネル４が薄く配置されている。
【００２２】
図２に示すタッチパネル４は、例えばペンタッチ型のタッチパネルである。このタッチパネル４は、例えばペン型のポインティングデバイス５によって所定の位置に触れられると、例えば上下２層に積層されたパネルが接触することにより、その位置を認識することができる入力装置である。タッチパネル４は透明な部材であり、その下層には表示部３が配置されている。
【００２３】
これにより、操作者は、表示部３の表示を透明なタッチパネル４を介して視認できるようになっている。ポインティングデバイス５によってタッチパネル４に入力された文字等は、上記エディタソフトによって認識されるようになっている。ＧＰＳ信号受信部１３は、図１の衛星１０からのＧＰＳ信号を受信する機能を有する。図２の書き換え可能なＲＯＭ１２は、不揮発性のメモリであり、例えばＧＰＳ信号受信部１３が受信した現在地に関する位置情報１２ａをＣＰＵ６の制御によって記憶する機能を有する。
【００２４】
図３は、図１の携帯型情報端末１のソフトウェア構成の一例を示すブロック図であり、図４は、図３の位置情報対ファイル関連付けテーブル３０で管理されているデータ構成例を示す図である。
図３の携帯型情報端末１は、測位モジュール２１、編集モジュール２３、ゾーン作成モジュール２５及びデータベース２７として機能させるファイルアクセス機能を発揮させるプログラムが実行されることで動作しており、さらにファイル２８を内蔵している。
測位モジュール２１は、図２のＧＰＳ信号受信部１３によってＧＰＳ信号を取得するように制御を行う。編集モジュール２３は、上記エディタソフトの主要な編集機能を発揮し、データベース２７を使用しつつファイル２８を編集する機能を有する。
【００２５】
位置情報対ファイル関連付けテーブル３０は、位置情報に関連付けられたファイル２８の関係を管理する機能を有する。具体的には、位置情報対ファイル関連付けテーブル３０は、携帯型情報端末１の現在地のような位置情報に、例えば互いにツリー形式に従属するフォルダによって管理されたファイル２８の配置場所を関連付けて管理している。
【００２６】
この位置情報対ファイル関連付けテーブル３０によって管理されている情報は、例えば編集モジュール２３によって新規作成、更新、削除等されるようになっている。具体的には、この位置情報対ファイル関連付けテーブル３０は、例えば図４に示すように緯度や経度で表される位置情報ごとに、ファイル２８の配置場所としてのファイルパスを管理しており、好ましくは位置情報を取得した時間或いはファイル２８を保存した時間に関する時間情報をも管理している。尚、図４及び図５に示す、緯度における「Ｎ」は北緯を示しており、「Ｓ」は南緯を示しており、経度における「Ｅ」は東経を示しており、「Ｗ」は西経を示している。
【００２７】
上記編集機能としては、例えばファイル２８にアクセスして開き、その内容を新規作成、更新、削除等の編集を行う機能を有する。ファイル２８は、例えば文書データであり、オペレーティングシステムの機能によって互いにツリー形式で従属するフォルダ単位で管理されている。データベース２７は、ゾーン情報管理テーブル２９及び位置情報対ファイル関連付けテーブル３０を備えている。
【００２８】
ゾーン情報管理テーブル２９は、携帯型情報端末１の現在地と比較するためのゾーンに関する情報を管理する機能を有する。ゾーンの形状は、例えば円形やポリゴン形状のような様々な形状を採用することができる。以下の説明では、ゾーンの形状が例えば円形状であるものとして説明する。そして、このゾーンの形状は、例えば中心点の位置（中心位置）及びその中心からの半径として管理するものとする。従って、ゾーン情報管理テーブル２９は、例えばゾーンＩＤ（ＩＤｅｎｔｉｆｉｃａｔｉｏｎ）、中心位置及び半径を管理している。ゾーンＩＤは、各ゾーンを区別するための識別子である。中心位置は、例えば緯度及び経度で表される。
【００２９】
ゾーン作成モジュール２５は、ゾーン情報管理テーブル２９から、ゾーンＩＤに該当する中心位置及び半径を取得し、図５に示すように中心位置ＣＴＲ及び半径によってゾーンＺを作成する機能を有する。作成したゾーンＺは、図３の編集モジュール２３によって利用される。つまり、上記編集モジュール２３において特徴的なことは、測位された現在地に関連付けられているファイル２８を開いたり、開いたファイル２８を現在地に関連付けて位置情報対ファイル関連付けテーブル３０に管理させる構成となっている。
【００３０】
つまり、この編集モジュール２３は、携帯型情報端末１の現在地が図６の位置Ｐ２のようなゾーンＺ外である場合には、このゾーンＺに関連付けられたファイル２８を開かず、現在地が位置Ｐ１のようなゾーンＺ内である場合には、位置情報対ファイル関連付けテーブル３０から、このゾーンＺに関連付けられたファイル２８のファイルパスを取得してファイル２８を開く構成となっている。
【００３１】
図７乃至図１０は、それぞれ図１に示す携帯型情報端末１の表示部３に表示されたエディタソフトによるエディタ画面１５の一例を示す図であり、図１１乃至図１３は、それぞれエディタソフトの設定画面の一例を示す図である。
図７に示すエディタ画面１５は、メニューバー１５ａ、エディットフィールド１５ｂ及びステータスバー１５ｃを備えている。
【００３２】
メニューバー１５ａは、各メニューが設けられているフィールドである。エディットフィールド１５ｂは、ファイル２８の内容を表示し、表示内容を編集するために入力を行うエリアである。ステータスバー１５ｃは、ステータスを表示するエリアである。ヘルプメニュー２０は、不明点等があった場合に操作するメニューである。
【００３３】
上記メニューバー１５ａには、ファイルメニュー１７、編集メニュー１８、設定メニュー１９及びヘルプメニュー２０が設けられている。これらファイルメニュー１７、編集メニュー１８及び設定メニュー１９をクリック等の操作を行うと、図８乃至図１０にそれぞれ示すプルダウンメニュー１７ａ，１８ａ，１９ａが表示される構成となっている。
【００３４】
図８に示すプルダウンメニュー１７ａは、ファイル２８を操作する場合に使用するメニューであり、例えばファイル２８を開く場合にはファイルパスを指定してファイル２８を開くようになっており、例えばファイル２８に上書き保存を行う場合には「上書き保存」を選択するようになっている。図９のプルダウンメニュー１８ａは、開いているファイル２８の内容に対する操作を行うためのメニューである。図１０のプルダウンメニュー１９ａは、設定を行うためのメニューである。
【００３５】
プルダウンメニュー１９ａにおいて「ゾーン作成機能」を選択すると、図１１に示すゾーン作成機能画面１９ｂが表示される。このゾーン作成機能画面１９ｂでは、ゾーンの半径を設定することができるようになっており、「ＯＫ」ボタンを押すと、図３のゾーン情報管理テーブル２９においてこのゾーンＺの識別子であるゾーンＩＤに該当する半径に登録される。
【００３６】
また、図１０に示すプルダウンメニュー１９ａにおいて「現在位置情報保持機能」を選択すると、図１２に示す現在位置情報保持機能画面１９ｃが表示される。この現在位置情報保持機能画面１９ｃでは、現在保持しているある時刻における位置情報が表示され、必要であれば「実行」ボタンを押すことで、図３に示す測位モジュール２１によって現在地を測位する機能を有する。
【００３７】
また、図１０に示すプルダウンメニュー１９ａにおいて「ファイルリスト表示機能」を選択すると、図１３に示すファイルリスト表示機能画面１９ｄが表示される。このファイルリスト表示機能画面１９ｄでは、ファイルリストの表示方法を設定するためのファイルリスト表示オプションを選択できるようになっている。
【００３８】
ここで、ファイルリスト表示オプションとしては、ファイルリストの表示方法として、例えばファイル２８に関連付けられた位置の近さを基準としてファイル名を表示する位置優先或いは、ファイル２８に関連付けられた時刻を基準としてリスト状にファイル名を表示する時刻優先を選択できるようになっている。ファイル名のリスト表示は、位置或いは時刻のいずれかを選択して表示する代わりに、これらを選択できず予め設定された位置或いは時刻を基準として表示される構成としても良いことはいうまでもない。
【００３９】
携帯型情報端末１は以上のような構成であり、次に図１〜図１３を参照しつつその動作例としてのファイルアクセス方法の一例について説明する。尚、この携帯型情報端末１の機能は、ファイルアクセス機能を発揮させるプログラムが携帯型情報端末１のハードウェア資源と共に協働することで実現されている。
図１４は、携帯型情報端末１によるファイルアクセス方法の一例を示すフローチャートであり、図１５乃至図１８は、それぞれエディタ画面１５の一例を示す図である。
【００４０】
＜ファイルを開くとき＞
この携帯型情報端末１は、例えばエディタソフトの起動時にファイルアクセス方法が実行されるものとして説明する。このファイルアクセス方法としては、例えばファイル２８を開くことである。そして、携帯型情報端末１は、操作者が携帯し、様々な場所で使用するＰＤＡやノート型コンピュータである。この操作者は、この携帯型情報端末１を、例えば自宅で個人的な文書を入力する際に使用し、さらに職場で業務上の文書を入力する際に使用するものと仮定する。
【００４１】
そして、図３に示す携帯型情報端末１では、この個人的な文書に関する電子データとしてのファイル２８ａ（２８）のファイルパスが、操作者の自宅の位置に関連付けられて位置情報対ファイル関連付けテーブル３０に登録されている。また、この携帯型情報端末１では、業務上の文書に関する電子データとしてのファイル２８ｂ（２８）のファイルパスが、操作者の職場の位置に関連付けられて位置情報対ファイル関連付けテーブル３０に登録されている。
【００４２】
まず、図１４のステップＳＴ１では、操作者の操作によって携帯型情報端末１においてエディタソフトが起動される。次にステップＳＴ２では、既存のファイルを開くモードであるか否かが判断される。具体的には、携帯型情報端末１の表示部３には、図１５に示す画面３１がエディタ画面１５に重なるように表示される。
【００４３】
画面３１において「Ｎｏ」を選択すると、図１４のステップＳＴ７に進み、ステップＳＴ７では、新規なファイルを編集するモードとしてエディタソフトが起動される。一方、図１５の画面３１において「Ｙｅｓ」を選択すると、起動時に既存のファイルを選択し、エディットフィールド１５ｂに表示する処理を開始する。次にステップＳＴ３では、位置情報を更新するか否かを判断する。具体的には、携帯型情報端末１の表示部３には、図１６に示す画面３２がエディタ画面１５に重なるように表示される。
【００４４】
画面３２において「Ｎｏ」を選択すると、例えば会社にいるのであれば出勤前にいた自宅の位置のような以前に測位した位置によって、ファイル２８ａへのファイルアクセスを開始し、ステップＳＴ５に進む。一方、「Ｙｅｓ」を選択すると、ステップＳＴ４に進む。具体的には携帯型情報端末１は、図３の測位モジュール２１の制御によって、図２のＧＰＳ信号受信部１３にＧＰＳ信号を受信させ、現在地に関する位置情報を取得する。
【００４５】
そして、図１４のステップＳＴ４では、測位モジュール２１が、測位した結果を現在地に関する位置情報として更新し、ステップＳＴ５に進む。ここで、図３のゾーン作成モジュール２５は、現在地に関してゾーン情報管理テーブル２９の情報に基づいて図５に示すようにゾーンＺを作成する。次にステップＳＴ５では、図３の編集モジュール２３が、現在地に関する位置情報を検索キーとして位置情報対ファイル関連付けテーブル３０を検索し、現在地に関連付けられたファイル２８ｂ（２８）が存在するか否かを判断する。
【００４６】
次にステップＳＴ６では、対象となるファイル２８ｂ（２８）が存在するか否かを判断し、対象となるファイル２８ｂが位置情報対ファイル関連付けテーブル３０に存在しない場合には上記ステップＳＴ７に進む。一方、対象となるファイル２８ｂが位置情報対ファイル関連付けテーブル３０に存在する場合には、ステップＳＴ８に進む。ステップＳＴ８では、対象となるファイル２８ｂが複数あるか否かが判断される。
【００４７】
具体的には、ステップＳＴ８では、編集モジュール２３が、上述のように検索した際に位置情報対ファイル関連付けテーブル３０において、測位された現在地に該当するファイル２８ｂが複数存在しているか否かを判断する。対象となる複数のファイル２８ｂが存在しない場合にはステップＳＴ１３に進み、複数存在する場合には、携帯型情報端末１の表示部３には、図１７に示すファイル選択確認画面３３が表示される。
【００４８】
このファイル選択確認画面３３では、「リストから開く」を選択すると、後述する図１８に示すファイルリストウィンドウ３４が表示される。一方、「先頭のファイルを開く」を選択すると、ステップＳＴ９に進む。
【００４９】
ステップＳＴ９では、対象となる複数存在する対象ファイル２８の表示を時刻を基準とするか否かを判断する。時刻順に表示しない場合にはステップＳＴ１１に進み、ステップＳＴ１１では、編集モジュール２３が、例えば現在地に近い順にファイル２８ｂのファイル名（及びファイルパス）の一覧を、図１８のようにファイルリストウィンドウ３４のようにリスト状に表示する。
【００５０】
図１８に示すファイルリストウィンドウ３４は、表示オプション欄３４ａ、履歴オプション３４ｂ及びリストウィンドウ欄３４ｃを有する。表示オプション欄３４ａは、ファイル名の表示順の優先順位に関して位置を優先とするように選択されている場合には、リストウィンドウ欄３４ｃに保存位置（最後に測位して関連付けてファイル保存した位置）から近い順で表示する。履歴オプション欄３４ｂについては後述する。
【００５１】
一方、表示オプション欄３４ａは、時刻を優先とするように選択されている場合には、図示のように保存日時が現在時刻と比べて近いもの順に表示される。これは、上記図１３の設定メニューによっても設定することができる。ここで、位置情報の近い順とは、例えば携帯型情報端末１の現在地を示す点と、ファイル２８の保存時にファイル２８に関連付けられた位置情報（例えば緯度や経度）を示す点との距離の短い順である。
【００５２】
一方、図１８に示すリストウィンドウ欄３４ｃは、ファイルリストを表示するウィンドウであり、表示オプション欄３４ａの設定に従った順番で上からファイル２８ｂのファイル名のリスト（ファイルリスト）が表示されるようになっている。このリストウィンドウ欄３４ｃの右側には、例えばスクロールバーが設けられており、スクロールを行うことで上下方向で見ることのできなかったファイル名まで追うことができるようになっている。携帯型情報端末１の操作者は、このファイルリストから所望のファイル名を選択し、後述するように対象となるファイル２８ｂにアクセスして開くことができるようになっている。
【００５３】
一方、ステップＳＴ９において時刻を基準に表示する場合にはステップＳＴ１０に進む。ステップＳＴ１０では、時刻が新しい順にファイル２８ｂを一覧表示する。次にステップＳＴ１２では、対象となるファイル２８ｂを開いて起動する。具体的には、携帯型情報端末１の操作者の操作によって、対称となる所望のファイル２８ｂが選択され、編集モジュール２３が、該当するファイル２８ｂを開いて、エディットフィールド１５ｂにファイル２８ｂの内容が表紙され、編集モードとなる。
【００５４】
このようにして、エディタソフトの起動処理が終了する（ステップＳＴ１３）。尚、携帯型情報端末１の操作者が自宅にいる場合には、自宅の位置に関連付けられたファイルがファイル２８ａであることから、ファイルリストにはファイル２８ａのファイル名やファイルパスが表示されることになる。従って、携帯型情報端末１は、操作者が意識しなくても場所に応じたファイル２８ａ等を自動的に開くことができる。
【００５５】
＜ファイルを保存するとき＞
また、この携帯型情報端末１において特徴的なことは、編集モジュール２３が、開いたファイル２８等を保存する際に、測位モジュール２１によって測位された現在地に関連付けて、位置情報対ファイル関連付けテーブル３０にファイル２８等のファイルパス（配置場所）を登録する構成となっていることである。このようにすると、携帯型情報端末１の操作者は、操作者が前回保存した時と同じ場所に移動すると、前回保存した時と同一のファイル２８等を開くことができる。
【００５６】
さらに、この携帯型情報端末１において特徴的なことは、編集モジュール２３が、操作者が特定の操作をした際に、測位モジュール２１によって測位された現在地に関連付けて、位置情報対ファイル関連付けテーブル３０にファイル２８等のファイルパス（配置場所）を登録する構成となっていることである。このようにすると、携帯型情報端末１の操作者は、操作者が前回操作した時と同じ場所に移動すると、前回保存した時と同一のファイル２８等を開くことができる。
【００５７】
本発明の好ましい実施形態によれば、携帯型情報端末１の現在地に応じてファイルを開くことができる。つまり、この携帯型情報端末１は、移動先に応じて関連付けられたファイル２８を開くことができる。通常、使用するファイルは、特定の用途に使用されることから、例えば使用者の自宅等の予め決まった場所で使用されることが多い。従って、携帯型情報端末１のエディタソフトが、位置に関連付けられたファイル２８が自動的に開く構成となっていると、携帯型情報端末１の使用者の操作性が向上する。
【００５８】
＜変形例＞
図１９は、本発明の好ましい実施形態の変形例としてのエディタ画面１５ａの一例を示す図である。
本発明の第１実施形態の変形例は、図１乃至図１８において上記実施形態としての携帯型情報端末１と同一の符号を付した箇所は同じ構成であるから、異なる点についてのみ説明する。
【００５９】
図１８に示すファイルリストウィンドウ３４において履歴オプション欄３４ｂにチェックが入っている場合には、図１８に示すようにファイルリストが表示される代わりに、図１９に示すようにファイルメニュー１７のプルダウンメニュー１７ａの下部等にファイルリストの履歴がリスト状に表示されるようにしても良い。
【００６０】
つまり、ファイル履歴オプション欄３４ｂでは、チェックが入っている場合、プルダウンメニュー１７ａの履歴等を表示する部分に、ファイルリストが優先順位の高い方から履歴として表示される。このような構成とすると、携帯型情報端末１は、ファイルリストウィンドウ３４を表示しなくても、現在地に関連付けられたファイル２８ｂにアクセスし、開くことができる。しかも、通常使用されるプルダウンメニュー１７ａに組み込まれているので使用者の操作性がよい。
【００６１】
このファイルメニュー１７のプルダウンメニュー１７ａでは、上記ファイルリストウィンドウ３４と同様に、例えば起動時に開くファイル２８等が複数あった場合には、時刻優先であれば時間的に新しい順にファイル名を表示する。このとき、ファイル名の隣には、例えばかっこ書きで時刻情報を表示する。一方、位置優先であれば携帯型情報端末１からの距離が近い順にファイル名を表示する。このとき、ファイル名の隣には、例えばかっこ書きで位置情報を表示する。
【００６２】
本発明は、上記実施の形態に限定されず、特許請求の範囲を逸脱しない範囲で種々の変更を行うことができる。例えば上記実施形態の各構成は、その一部を省略したり、上記とは異なるように任意に組み合わせることができる。
また、上述のファイルアクセス機能を有するプログラムは、上述のようにコンピュータ等の電子機器にインストールされて動作している形態のみならず、例えばフレキシブルディスク、ＣＤ（Ｃｏｍｐａｃｔ  Ｄｉｓｃ：商標名）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−ＲｅＷｒｉｔｅｒｂｌｅ）又はＤＶＤ（Ｄｉｇｉｔａｌ  Ｖｅｒｓａｔｉｌｅ  Ｄｉｓｃ）等の情報記録媒体に格納されて流通されている形態でも良い。
また、このファイルアクセス機能を発揮させるプログラムは、上記情報記録媒体に格納されている形態のみならず、無線又は有線によってデータ通信を行うネットワーク等の伝送媒体を経由して操作者のコンピュータ等の電子機器にダウンロードされる形態であっても良いことはいうまでもない。
【図面の簡単な説明】
【図１】携帯型情報端末に対して操作する様子の一例を示す斜視図。
【図２】図１の携帯型情報端末の電気的な内部機能を示すブロック図。
【図３】ソフトウェア構成の一例を示すブロック図。
【図４】テーブルで管理されているデータ構成例を示す図。
【図５】作成されたゾーンの一例を示す図。
【図６】ゾーンに対する現在地の一例を示す図。
【図７】エディタ画面の一例を示す図
【図８】エディタ画面の一例を示す図
【図９】エディタ画面の一例を示す図
【図１０】エディタ画面の一例を示す図
【図１１】設定画面の一例を示す図
【図１２】設定画面の一例を示す図
【図１３】設定画面の一例を示す図
【図１４】ファイルアクセス方法の一例を示すフローチャート。
【図１５】エディタ画面の一例を示す図。
【図１６】エディタ画面の一例を示す図。
【図１７】エディタ画面の一例を示す図。
【図１８】エディタ画面の一例を示す図。
【図１９】エディタ画面の一例を示す図。
【符号の説明】
１  携帯型情報端末、１７  ファイルメニュー（ファイルを開く際に操作するメニュー）、２１  測位モジュール（測位手段）、２３  編集モジュール（ファイルアクセス手段）、３０  位置情報対ファイル関連付けテーブル（ファイル管理手段）
【図１】
2004199156.tif 000003
【図２】
2004199156.tif 000004
【図３】
2004199156.tif 000005
【図４】
2004199156.tif 000006
【図５】
2004199156.tif 000007
【図６】
2004199156.tif 000008
【図７】
2004199156.tif 000009
【図８】
2004199156.tif 000010
【図９】
2004199156.tif 000011
【図１０】
2004199156.tif 000012
【図１１】
2004199156.tif 000013
【図１２】
2004199156.tif 000014
【図１３】
2004199156.tif 000015
【図１４】
2004199156.tif 000016
【図１５】
2004199156.tif 000017
【図１６】
2004199156.tif 000018
【図１７】
2004199156.tif 000019
【図１８】
2004199156.tif 000020
【図１９】
2004199156.tif 000021